(57)【特許請求の範囲】
【請求項１】
内面側に液透過性のトップシートが、内部に前記トップシートを透過した液を吸収する吸収コアが、外面側に液不透過性のバックシートが設けられ、
前記バックシートには、前記吸収コアを透過した液を通過させる開口部が形成されていることを特徴とする吸収性物品。
【請求項２】
前記開口部の開口面積は、前記吸収コアの面積よりも小さい請求項１記載の吸収性物品。
【請求項３】
内面側に液透過性のトップシートが、内部に前記トップシートを透過した液を吸収する吸収コアが、外面側にバックシートが設けられ、
前記バックシートは、液不透過性シートで形成されて、少なくとも前記吸収コアを覆う領域に、前記吸収コアを透過した液を通過させる多数の孔が形成されていることを特徴とする吸収性物品。
【請求項４】
前記バックシートの表面には、他の吸収性物品の受液側となる内面に貼り合わせるための貼り合わせ手段が設けられている請求項１ないし３のいずれかに記載の吸収性物品。
【請求項５】
前記貼り合わせ手段は、バックシートの表面に形成された粘着層であり、前記開口部を覆う液不透過性の被覆シートが前記粘着層に剥離可能に接合されている請求項４記載の吸収性物品。
【請求項６】
前記貼り合わせ手段は、吸収コアの幅方向の中央領域に設けられ、且つ前記貼り合わせ手段は、幅寸法が４０〜５０ｍｍの範囲内に設けられている請求項４または５記載の吸収性物品。
【請求項７】
前記貼り合わせ手段は、製品の全ての縁から３０ｍｍの範囲を除く領域に設けられている請求項４ないし６のいずれかに記載の吸収性物品。
【請求項８】
尿取りパッドとして使用されるものであり、吸収コアが展開した状態で、外面側がおむつまたは他の尿取りパッドに重ねられて使用される請求項１ないし７のいずれかに記載の吸収性物品。
【請求項９】
尿取りパッドとして使用されるものであり、吸収コアがペニスを収納する状態に形成され、外面側がおむつの表面に向けられて使用される請求項１ないし７のいずれかに記載の吸収性物品。
【発明の詳細な説明】
【０００１】
【発明の属する技術分野】
本発明は、老人や病人の介護用などとしておむつの内側に設置されて使用される尿取りパッドや生理用ナプキンなどの吸収性物品に掛り、特に他の吸収性物品との組み合わせにより吸液機能を効果的に発揮できるようにした吸収性物品に関する。
【０００２】
【従来の技術】
図１１は従来の尿取りパッド１０を使い捨ておむつ１の内側に設置した状態を示す展開平面図である。
図１１に示す使い捨ておむつ１は、全体が砂時計形状であり、着用者の腹部に当てられる前面部１Ａと、尻部または背部に当てられる背面部１Ｂと、股間部に当てられる中間部１Ｃとを有する。
【０００３】
図１１は使い捨ておむつ１を内側から示しており、このおむつの内側には液透過性のトップシート２が、外側には液不透過性のバックシートが設けられて、トップシート２とバックシートとの間に吸収体４が介装されている。この吸収体４は展開形状が砂時計型であり、粉砕パルプまたは粉砕パルプと高吸水性ポリマーなどの混合物で形成されている。
【０００４】
使い捨ておむつ１の中間部１Ｃでの幅方向両側の縁部では、トップシート２とバックシートとが接合された領域に縦方向に延びる弾性体５，５が設けられ、この弾性体５の収縮力によりレッグギャザー６，６が形成できるようになっている。
【０００５】
前記背面部１Ｂの両側部内面には掛止部７，７，…が設けられている。この使い捨ておむつ１が身体に装着されるときは、ウエスト部分で、前記掛止部７，７，…が、前面部１Ａの外面に掛止される。
【０００６】
尿取りパッド１０は、内面側に液透過性のトップシート１１が、外面側に液不透過性のバックシートが設けられ、トップシート１１とバックシートとの間に、粉砕パルプまたは粉砕パルプと高吸水性ポリマーなどの混合物により形成された吸収コア１３が介装されている。また尿取りパッド１０の幅方向両側の縁部には弾性体が縦方向に取付けられてギャザー１４，１４が形成される。
【０００７】
この尿取りパッド１０は、液不透過性のバックシートが、使い捨ておむつ１のトップシート２に向けられて装着される。通常は、尿取りパッド１０のバックシートにずれ止め用の粘着層が設けられ、この粘着層が使い捨ておむつ１のトップシート２に粘着して使い捨ておむつ１内での位置ずれが防止される。
【０００８】
図１１に示すように、前記尿取りパッド１０は、使い捨ておむつ１の内面に設置された状態で、老人や病人などの尿失禁に対応できるようになる。すなわち少量の尿失禁は、主に尿取りパッド１０に吸収されることになるため、尿失禁量に応じて尿取りパッド１０を交換することにより、使い捨ておむつ１の頻繁な交換を不要にできる。
【０００９】
【発明が解決しようとする課題】
しかし、前記従来の尿取りパッド１０の外面側は液不透過性のバックシートであり、このバックシートが使い捨ておむつ１のトップシート２に向けられているため、尿取りパッド１０で尿を吸収しきれなかった場合に、尿が使い捨ておむつ１から漏れ出やすい欠点がある。
【００１０】
すなわち、尿取りパッド１０は大人の１回の尿失禁や２回程度の尿失禁に対しては、尿を吸収できる容量を有しているため、尿取りパッド１０を頻繁に交換することにより、使い捨ておむつ１へ尿が流れ出ることを防止できる。
【００１１】
しかし、例えば夜間などのように長時間着用している状態では、失禁回数が多くなり、その結果、尿は尿取りパッド１０の吸収コア１３の許容量を超えて、尿取りパッド１０から漏れ出る。このとき、尿取りパッド１０の外面は液不透過性のバックシートでありこれが使い捨ておむつ１のトップシート２のほぼ中央の領域に対面しているため、尿取りパッド１０のバックシートが対面している領域に、尿取りパッド１０から漏れ出た尿が与えられず、尿取りパッド１０から溢れ出た尿は主に使い捨ておむつ１の中間部１Ｃの幅方向の両側の領域（ｉ）（ｉ）に流れ出る。この領域（ｉ）（ｉ）では、吸収体４で尿を十分に吸収することができないため、尿は使い捨ておむつ１の側方へ漏れやすくなって、衣類やシーツを汚すことになる。
また、この種の問題は、生理用ナプキンを重ねて使用した場合も同様である。
【００１２】
一方、図１１の尿取りパッド１０において、外面側のバックシートが液透過性であるものも存在している。この場合、尿取りパッド１０が、吸収しきれなかった尿が液透過性のバックシートを通過して、使い捨ておむつ１の吸収体に吸収させる。しかし、既存の液透過性のバックシートを用いた尿取りパッドは、使い捨ておむつ１に対面するバックシートの全面がすべて液透過性のため、バックシートを透過した尿が使い捨ておむつの貼り合わせが、液の移行が行い難く、結果、そのパッドのみでしか吸収せず、オーバーフローしやすい。また、尿取りパッド１０と使い捨ておむつの貼り合わせが不十分である場合、吸収させる部位以外のところへずれ易く、また漏れやすい。他社製品は貼り合わせをこだわっていない。
【００１３】
本発明は上記従来の課題を解決するものであり、体液が吸収コアの許容量を超えたときに、吸収しきれなかった体液を多数の吸収性物品の吸収コアで吸収できるようにして、横漏れを防止できるようにした吸収性物品を提供することを目的としている。
【００１４】
【課題を解決するための手段】
本発明の吸収性物品は、内面側に液透過性のトップシートが、内部に前記トップシートを透過した液を吸収する吸収コアが、外面側に液不透過性のバックシートが設けられ、
前記バックシートには、前記吸収コアを透過した液を通過させる開口部が形成されていることを特徴とするものである。
【００１５】
例えば、前記開口部の開口面積は、前記吸収コアの面積よりも小さいものである。
また、本発明は、内面側に液透過性のトップシートが、内部に前記トップシートを透過した液を吸収する吸収コアが、外面側にバックシートが設けられ、
前記バックシートは、液不透過性シートで形成されて、少なくとも前記吸収コアを覆う領域に、前記吸収コアを透過した液を通過させる多数の孔が形成されていることを特徴とするものである。
上記吸収性物品は、重ね使用のときに、吸収コアを透過した液を他の吸収性物品に与えることを前提としたものであり、例えば夜間使用用の尿取りパッドや、同じく夜間使用用の生理用ナプキン専用である。
【００１７】
前記バックシートの表面には、他の吸収性物品の受液側となる内面に貼り合わせる貼り合わせ手段が設けられていることが好ましい。
これにより、吸収性物品を重ねて使用したときに吸収性物品どうしが位置ずれするのを防止できる。
【００１８】
例えば、前記貼り合わせ手段は、バックシート表面に形成された粘着層であり、前記開口部を覆う液不透過性の被覆シートが前記粘着層に剥離可能に接合されていることが好ましい。
【００１９】
この被覆シートが設けられているときには、外面側からおむつなどの他の吸収性物品への体液の浸透を防止でき、従来の吸収性物品と同様に使用できる。また被覆シートを剥がして使用すれば、重ね使用により、多量の体液を受けたときに他の吸収性物品へ体液を与えることができる。
【００２３】
また、前記貼り合わせ手段は、吸収コアの幅方向の中央領域に設けられ、且つ前記貼り合わせ手段は、幅寸法が４０〜５０ｍｍの範囲内に設けられていること、および／または前記貼り合わせ手段は、製品の全ての縁から３０ｍｍの範囲を除く領域に設けられていることが好ましい。
【００２４】
例えば尿取りパッドとして使用される場合、貼り合わせ手段を前記範囲に設けると、股間部に装着して幅方向へ収縮しても、股間部において前記貼り合わせ手段が他の尿取りパッドやおむつに確実に貼り合わせられ、また貼り合わせ手段が肌に直接当たるのを防止できる。
なお、貼り合わせ手段は、機械的な掛止手段であってもよい。
【００２５】
例えば前記吸収性物品は、尿取りパッドとして使用されるものであり、吸収コアが展開した状態で、外面側がおむつまたは他の尿取りパッドに重ねられて使用される。
【００２６】
あるいは、尿取りパッドとして使用されるものであり、吸収コアがペニスを収納する状態に形成され、外面側がおむつの表面に向けられて使用される。
この場合に、展開された状態で製造され、それをトップシートを内側にしてペニスを包むようにして使用してもよいが、予めペニスを挿入できるように筒状または三角錘形状に形成されたものであってもよい。
【００２７】
【発明の実施の形態】
図１（Ａ）は本発明の吸収性物品の一例として尿取りパッドを示す斜視図、図１（Ｂ）はその展開状態を外面側から示した平面図、図２は尿取りパッドの使用状態を示す斜視図である。
【００２８】
図１（Ａ）（Ｂ）に示す尿取りパッド２０は、例えば図２に示すようにほぼ展開状態（やや湾曲した展開状態）で女性用などとして使用される。あるいは図５に示すようにペニスを包む状態で男性用として使用される。
【００２９】
この尿取りパッド２０は、内面側が液透過性のトップシート２１で、外面側が液不透過性のバックシート２２であり、両シート２１と２２の間に吸収コア２３が介装されている。
【００３０】
トップシート２１は、疎水性繊維に親水処理したものまたは親水性繊維などで形成されたものであり、例えばポイントボンド、エアースルー、スパンボンド、スパンレースなどの不織布である。またバックシート２２は液不透過性で且つ通気性であり、例えばオレフィン系の樹脂シートなどにより形成されている。吸収コア２３はその平面形状が長方形または砂時計形状であり、粉砕パルプあるいは粉砕パルプと高吸水性ポリマーなどの混合物により形成され、粉砕パルプ、あるいは粉砕パルプと高吸水性ポリマーとの混合物がティッシュなどの吸収性シート２３ａ（図４参照）で包まれている。
【００３１】
吸収コア２３は、その平面形状が長方形であり、この吸収コア２３がトップシート２１とバックシート２２とで挟まれた状態で、トップシート２１とバックシート２２は、吸収コア２３の外周部分でホットメルト型接着剤などにより互いに接合されている。
【００３２】
吸収コア２３が設けられていない幅方向の縁部領域において、縦方向（長手方向）に延びる弾性部材２４が、トップシート２１とバックシート２２の間に接着固定されている。この弾性部材２４は、トップシート２１とバックシート２２を平面状に展開した状態で所定の伸び率を有して接合されている。その結果、自由状態では、弾性部材２４、２４が弾性収縮することにより、尿取りパッド２０の幅方向（Ｘ方向）の両側部で且つ縦方向（Ｙ方向）の中央領域において、トップシート２１およびバックシート２２が波状に収縮させられてギャザー２５、２５が形成される。
【００３３】
図１（Ｂ）は尿取りパッド２０を外面側から示しており、図の紙面手前側にはバックシート２２が現れているが、このバックシート２２には開口部２２ａ，２２ａが形成され、この開口部２２ａ，２２ａには、吸収コア２３の吸収体を覆う前記ティッシュなどの吸収性シート２３ａが現れ、液透過領域（ａ）（ａ）となっている。この実施の形態では、前記開口部２２ａ，２２ａ（液透過領域（ａ）（ａ））が縦長穴であり、吸収コア２３が設けられた領域において幅方向（Ｘ方向）の中間でほぼ中央の領域で且つ縦方向へ、互いに平行に延びて開口している。なお、開口部２２ａ，２２ａの開口面積は、吸収コア２３の面積よりも小さい。
【００３４】
また、バックシート２２の表面において、前記開口部２２ａ，２２ａが開口している部分の外周部の領域、および開口部２２ａと２２ａとで挟まれた領域には、貼り合わせ手段として粘着層２６が形成されている。バックシート２２の外側には、被覆シート２７が前記粘着層２６を介して接着されており、この被覆シート２７により前記開口部２２ａ，２２ａ（液透過領域（ａ）（ａ））が塞がれている。すなわち開口部２２ａ，２２ａの周囲全周に粘着層２６が形成されてこの粘着層２６に被覆シート２７が貼着されているため、被覆シート２７を剥がさない状態では、開口部２２ａ，２２ａが完全に閉じられ、尿取りパッドの外面側は、完全な液不透過となる。
【００３５】
被覆シート２７は、バックシート２２と同等に液不透過性で且つ通気性で、例えばオレフィン系の樹脂シートなどにより形成されている。前記粘着層２６は、ゴム系エラストマーやアクリル系樹脂などであり、被覆シート２７は、バックシート２２に対して剥離自在であり、且つ被覆シート２７を剥がした後も、粘着層２６が所定の粘着力を発揮し、おむつの内面側に設置したときに前記粘着層２６がおむつの内面側に粘着されて、前記粘着層２６がずれ止め層として機能できるようになっている。
前記被覆シート２７の縦方向の先端部分には、摘まみ部２７ａが突出形成されており、この摘まみ部２７ａはバックシート２２に接着されていない。
【００３６】
図２は、大人の介護用の使い捨ておむつ１に前記尿取りパッド２０が重ねられて使用される状態を示す斜視図、図３は使い捨ておむつ１に尿取りパッド２０が重ねられた状態を、装着者の肌に向けられる内面側から見た展開平面図である。また図４は、前記使い捨ておむつ１に尿取りパッド２０が重ねられた状態を示す図３のＩＶ−ＩＶ線の断面図である。
【００３７】
使い捨ておむつ１は、全体が砂時計形状であり、着用者の腹部に当てられる前面部１Ａと、尻部または背部に当てられる背面部１Ｂと、股間部に当てられる中間部１Ｃとを有する。
【００３８】
使い捨ておむつ１の内面側には液透過性のトップシート２が、外側には液不透過性のバックシート３が設けられて、トップシート２とバックシートとの間に吸収体４が介装されている。この吸収体４は展開形状が砂時計形状であり、粉砕パルプまたは粉砕パルプと高吸水性ポリマーなどの混合物がティッシュなどの吸収性シートで囲まれて形成されている。
【００３９】
使い捨ておむつ１の中間部１Ｃでの幅方向両側の縁部では、トップシート２とバックシートとが接合された領域に縦方向に延びる弾性体５，５が設けられ、この弾性体５の収縮力によりレッグギャザー６，６が形成できるようになっている。
【００４０】
前記背面部１Ｂの両側部内面には掛止部７，７が設けられ、前面部１Ａの外側の面には掛止シート８，８が取付けられている。この使い捨ておむつ１が身体に装着されるときは、ウエスト部分で、前記掛止部７，７，…が掛止シート８，８に掛止される。
【００４１】
なお、図２と図３は使い捨ておむつ１として展開型（オープン型）を示しているが、本発明の尿取りパッド２０は、前面部１Ａの両側の縁部と背面部１Ｂの両側の縁部とが接合されたいわゆるパンツ型おむつの内側に重ねて使用することもできる。
【００４２】
次に前記尿取りパッド２０の使用方法を説明する。
例えば、昼間のように頻繁に介護できる状態のときには、尿取りパッド２０は、被覆シート２７を剥がすことなくそのまま使用することができる。この場合、図１（Ｂ）に示すように尿取りパッド２０の外面側では、バックシート２２に開口した開口部２２ａ、２２ａが被覆シート２７で覆われ、また開口部２２ａ，２２ａの外周部に設けられた粘着層２６により被覆シート２７が止められているため、開口部２２ａ，２２ａ（液透過領域（ａ）（ａ））は完全に塞がれており、この開口部２２ａ，２２ａから外側に尿がもれなくなっている。
【００４３】
このように、バックシート２２に被覆シート２７が取付けられた状態で、バックシート２２が使い捨ておむつ１側に向けられた状態で、尿取りパッド２０が使い捨ておむつ１のトップシート２に設置される。このときに尿取りパッド２０の位置ずれを防止するために、前記バックシート２２の表面または被覆シート２７の表面に粘着層を設け、この粘着層を使い捨ておむつ１のトップシート２の表面に粘着させてもよい。
【００４４】
被覆シート２７を取付けた状態の尿取りパッド２０は、従来の尿取りパッドと同様に機能し、尿の吸収量は吸収コア２３の吸収容量により決められる。例えば吸収コア２３の尿吸収能力が３００ｃｃの場合、１回の尿失禁量が１５０ｃｃ程度であれば、１回の尿失禁または２回の尿失禁に対しては、尿取りパッド２０から外部への尿の漏れはあまり生じない。よって、尿失禁の度に尿取りパッド２０を交換すると、使い捨ておむつ１の吸収体４にはほとんど尿が与えられず、使い捨ておむつ１の汚れがほとんどなく、そのまま継続して使用することができる。
【００４５】
次に、夜間または介護者が外出するときのように、頻繁な介護が不可能なときには、図４に示すように、尿取りパッド２０の外面側の被覆シート２７を剥がして使用する。図１（Ｂ）に示すように被覆シート２７には摘まみ部２７ａが設けられているので、この摘まみ部２７ａを掴んで引き剥がすことにより被覆シート２７を容易に剥離させることができる。被覆シート２７を剥がすと、バックシート２２には粘着層２６が残るが、この粘着層２６は使い捨ておむつ１のトップシート２の表面に粘着してずれ止め層として機能する。
【００４６】
被覆シート２７を除去すると、バックシート２２に形成された開口部２２ａ，２２ａ（液透過領域（ａ）（ａ））が開口し、この開口部２２ａ，２２ａには、ティッシュなどの吸収性シート２３ａで囲まれた吸収コア２３が露出し、この吸収コア２３が、開口部２２ａ，２２ａを介して使い捨ておむつ１のトップシート２に対面する。
【００４７】
例えば、１回の失禁による尿の量が１５０ｃｃとすると、この尿は尿取りパッド２０の吸収コア２３で吸収されるが、その一部が開口部２２ａ，２２ａから漏れ出て使い捨ておむつ１の吸収体４に吸収される。このとき、例えば尿取りパッド２０の吸収コア２３に１００ｃｃが吸収され、残りの５０ｃｃは開口部２２ａ，２２ａから漏れ出ておむつ１の吸収体４で吸収される。このとき、尿は吸収体４のほぼ中央部分に吸収されるため、尿は吸収体４の内部に吸収されて分散し、おむつ１の両側部のレッグギャザー６、６方向へ漏れ出ることがない。
【００４８】
例えば３回の失禁があった場合、尿の全体量は４５０ｃｃ程度になるが、このとき、尿取りパッド２０の吸収コア２３では尿を３００ｃｃ吸収し、その吸収能力を超えた残りの１５０ｃｃはおむつ１の吸収体４に吸収される。さらに失禁があった場合にも尿をおむつ１の吸収体４に導くことが可能である。
【００４９】
おむつ１の吸収体４の吸収能力は、尿取りパッド２０の吸収コア２３の吸収能力よりも十分に高いため、実質的には、吸収コア２３と吸収体４との双方での吸収能力を効果的に発揮することが可能になり、全体での尿の吸収容量を高くでき、おむつ１の両側部への尿の漏れを完全に防止できるようになる。
【００５０】
また、２回または３回程度の失禁があると、尿取りパッド２０の吸収コア２３は尿でほぼ飽和状態になるが、この状態で尿取りパッド２０を交換すると、おむつ１の吸収体４で吸収された尿の量はさほど多くないため、使い捨ておむつ１は未だ継続して使用することが可能である。
【００５１】
また、図４において破線で示しているように、本発明の尿取りパッド２０を、被覆シート２７を剥がした状態で、おむつ１の内側に２枚以上重ねて設置することができる。この場合、尿は２枚以上の尿取りパッド２０の吸収コア２３のそれぞれで吸収されることになり、尿の吸収量をさらに高くし、多数回の尿失禁があっても、使い捨ておむつ１の汚れを最小限にできる。
【００５２】
このように外面側の液透過領域（ａ）を塞ぐ被覆シート２７を設け、この被覆シート２７を必要なときにのみ剥離できるようにしておくと、例えば昼間のように短時間に尿取りパッドを交換できるときは、前記被覆シートを付けたまま使用し、液透過領域（ａ）を塞いでおくことにより、おむつ側に尿が浸透するのを防止できる。また、夜間などのように長時間介護できないときにのみ、被覆シート２７を剥がして使用することにより、尿取りパッドの吸収コアで吸収しきれなかった尿をおむつの吸収体で吸収できる状態に設定できる。
【００５３】
なお、本発明の尿取りパッドは、予め、被覆シート２７が設けられておらず、図４に示すような状態で重ねて使用されることを想定したものであってもよい。また、貼り合わせ手段は、粘着層に限られず、機械的掛止手段、例えば多数の鉤状突起を有するシートを前記バックシート２２の表面に貼着しておき、図４のようにして重ねたたときに、前記機械的掛止手段が、使い捨ておむつ１のトップシート２を形成する不織布に掛止されて、尿取りパッドがずれ止めできるものであってもよい。
【００５４】
図２ないし図４では、尿取りパッド２０が展開された状態で使い捨ておむつ１に重ねられて使用され、主に女性用として対応する場合を示しているが、この尿取りパッド２０を男性用として使用することも可能である。
【００５５】
この場合には、図５に示すように、尿取りパッド２０を、トップシート２１を内面側として、縦方向（Ｙ方向）の両端側からほぼ円錐形状となるように丸め、開放部から円錐状のパッド内部にペニスを挿入する。このとき、図５に示すように、尿取りパッド２０の縦方向の一方の端部の外面と他方の端部の内面とを両面粘着テープなどの粘着層２８により接合することが可能である。
【００５６】
男性用の場合も、頻繁な介護が可能なときには、被覆シート２７で開口部２２ａ，２２ａ（液透過領域（ａ）（ａ））を塞いだ状態で、図５に示す状態でペニスを挿入し、使い捨ておむつ１の内面に設置する。
【００５７】
また夜間などのように頻繁な介護ができないときには、被覆シート２７を剥がし、バックシート２２に開口部２２ａ，２２ａを開口させる。このとき、ペニスが挿入された状態で、開口部２２ａ，２２ａが使い捨ておむつ１のトップシート２に対面する向きで尿取りパッド２０を使用する。その結果、図４に示したのと同様に、尿取りパッド２０の吸収コア２３で吸収しきれなかた尿が開口部２２ａ，２２ａから使い捨ておむつ１の吸収体４に吸収され、多数回の尿失禁に対応できるようになる。
なお、男性用の場合、予めほぼ円錐状または筒状に形成された尿取りパッドを用い、この尿取りパッドの外面側に液透過領域を形成してもよい。
【００５８】
図６（Ａ）（Ｂ）は本発明の尿取りパッドの他の構成例を示している。
図６（Ａ）に示す尿取りパッド２０Ａでは、外面側のバックシート２２の幅方向（Ｘ方向）の中間のほぼ中央領域で、且つ縦方向（Ｙ方向）のほぼ中央領域において、開口部としての複数の丸穴（または楕円穴などでも可）２２ｂが開口して、吸収コア２３が配置された領域に部分的な液透過領域が形成されている。また、この丸穴２２ｂが形成されている部分に液不透過性の被覆シート２７が剥離可能に設置されて、丸穴２２ｂが塞がれている。
【００５９】
図１（Ｂ）および図６（Ａ）に示すように、液透過領域を構成するバックシートの開口部は、吸収コア２３が設けられた領域で且つ幅方向の中央部分または幅方向の中間部分に形成されていることが好ましい。開口部が幅方向の中央部分または中間部分に開口していると、この開口部から漏れ出た尿が使い捨ておむつ１の吸収体４の中央部または中間部に与えられることになり、吸収体４により尿を吸収しやすくなり、おむつ１の幅方向両側に尿が漏れ出にくくなる。
【００６０】
図６（Ｂ）に示す尿取りパッド２０Ｂでは、バックシート２２に開口する開口部２２ｃが縦方向（Ｙ方向）に長く延びて、吸収コア２３が設けられた領域において、吸収コア２３とほぼ同じ面積で開口している。またこの開口部２２ｃを覆う被覆シート２７は、幅方向の中央部分で且つ縦方向の全域に延びる長さで形成され、粘着層を介してバックシート２２に取付けられている。
【００６４】
図７と図８は、前記図６（Ｂ）に示した尿取りパッドと同様に吸収コア２３が向けられている部分の全域を液透過領域としたもののさらに具体的な構造を示したものであり、図７は剥型シートを取り付けた状態を示す平面図、図８は剥型シートを除去した状態を示す平面図である。また図９は、図８に示す尿取りパッドが使い捨ておむつに装着された状態を使い捨ておむつの内面側から示す平面図、図１０は図９のＸ−Ｘ線の断面図である。
【００６５】
前記図１および図６（Ａ）（Ｂ）に示した尿取りパッド２０Ａ，２０Ｂは、バックシート２２に形成された開口部を完全に塞ぐことのできる被覆シート２７が設けられ、この被覆シート２７が貼着された状態では、バックシート側に尿漏れがせず、通常の尿取りパッドとして使用することが可能であるが、図７と図８に示した尿取りパッド２０Ｃは、図１０に示すように、使い捨ておむつ１や他の尿取りパッドと重ねたときに、これらに対して尿を浸透させることを前提として使用するものである。
【００６６】
図７と図８に示す尿取りパッド２０Ｃの基本的な構造は、内面側が液透過性のトップシート２１で、外面側に位置するバックシートが液透過シート３１であり、両シート２１と３１との間に吸収コア２３が介装されている。
トップシート２１および吸収コア２３は、図１に示したトップシートおよび吸収コアと同じものである。
【００６７】
吸収コア２３は、その平面形状が長方形であり、この吸収コア２３がトップシート２１と液透過シート３１とで挟まれた状態で、トップシート２１と液透過シート３１は、吸収コア２３よりも外側の外周部分でホットメルト型接着剤などにより互いに接合されている。
【００６８】
吸収コア２３が設けられていない幅方向の縁部領域において、縦方向（長手方向）に延びる弾性部材２４が、トップシート２１と液透過シート３１との間に接着固定されている。この弾性部材２４は、トップシート２１と液透過シート３１を平面状に展開した状態で所定の伸び率が与えられて接合されている。その結果、自由状態では、弾性部材２４、２４が弾性収縮することにより、尿取りパッド２０Ｃの幅方向（Ｘ方向）の両側部で且つ縦方向（Ｙ方向）の中央領域において、トップシート２１および液透過シート３１が波状に収縮させられてギャザー２５、２５が形成される。これは図１（Ａ）と同じである。
【００６９】
図８に示すように、液透過シート３１は、液不透過性のオレフィン系などの樹脂フィルムで形成されており、この液透過シート３１の吸収コア２３を覆う領域にのみ多数の孔３１ａが開口している。この孔３１ａは、円形であり、その直径は少なくとも０．５ｍｍ以上で好ましくは１ｍｍ以上である。また孔３１ａの配列ピッチは１ｍｍ以上、好ましくは１．５ｍｍ以上である。
【００７０】
孔３１ａの大きさおよび配列ピッチを前記のように設定すると、使用者が液透過シート３１を見たときに、液透過構造であることを視覚的に認識することができる。よって、外面側が液不透過性の通常使用の尿取りパッドと間違えにくくなる。
【００７１】
液透過シート３１は、トップシート２１とほぼ同じ大きさで、且つ前記孔３１ａが吸収コア２３を覆う領域にのみ形成されているため、この液透過シート３１は、吸収コア２３を覆う全域が液透過領域（ｂ）で、吸収コアの外側の外周部分が液不透過である。
【００７２】
ただし、液透過シート３１は全面に前記孔３１ａが開口しているものであってもよい。
【００７３】
また、図８に示すように尿取りパッド２０Ｃの外面側では、前記液透過シート３１の表面に粘着層３２が設けられている。この粘着層３２はホットメルト型接着剤を塗工したものであり、複数本が縦方向（Ｙ方向）へ直線状に且つ幅方向（Ｘ方向）で互いに平行に設けられている。そして、粘着層３２の部分に剥離シート３３が貼着されている。剥離シート３３は表面処理した紙または樹脂シートなどであり、摘み部３３ａの部分から剥がすことにより、粘着層３２が現れる。
【００７４】
夜間または介護者が外出するときのように、頻繁な介護が不可能なときには、図７に示す尿取りパッド２０Ｃを使用する。使用に際して、剥離シート３３を剥がすと、液透過シート３１に粘着層３２が現れる。また吸収コア２３と同じ広さの液透過領域（ｂ）が現れる。
【００７５】
図９および図１０に示すように、尿取りパッド２０Ｃの液透過シート３１をトップシート２に対面させ、粘着層３２により使い捨ておむつ１のトップシート２に貼り合わせる。あるいは図１０に示すように他の尿取りパッドのトップシートの上に貼り合わせてもよい。
【００７６】
前記粘着層３２を介して使い捨ておむつ１のトップシート２に貼り合わせると、おむつ１に対して尿取りパッド２０Ｃのずれ止めがなされるとともに、尿取りパッド２０Ｃの液透過シート３１と、使い捨ておむつ１のトップシート２とが密着し、尿取りパッド２０Ｃの吸収コア２３により吸収しきれなかった尿が、液透過シート３１からトップシート２に伝わりやすくなり、使い捨ておむつ１の吸収体４に容易に吸収される。よって、使い捨ておむつ１のトップシート２と、尿取りパッド２０Ｃの液透過シート３１との間から側方へ尿が漏れ出ることが生じにくくなる。
【００７７】
このように、液透過シート３１とトップシート２との密着性をよくするためには、尿取りパッド２０Ｃの粘着層３２が、吸収コア２３の領域内に形成され、粘着層３２が設けられている領域の縦方向（Ｙ方向）の長さＬ１が、吸収コア２３の長さＬ０と同じか、または前記長さＬ１が長さＬ０の５０％以上であることが好ましい。また、液透過シート３１から使い捨ておむつ１への尿の浸出を阻害しないためには、粘着層３２の合計面積が、吸収コア２３の面積の６０％以下であることが好ましい。
【００７８】
また、大人用の使い捨ておむつ１に尿取りパッド２０Ｃを組み合わせる場合、粘着層３２が形成される領域は、尿取りパッド２０Ｃの幅方向の中央を含みその幅寸法Ｗ１が４０〜５０ｍｍの範囲内であることが好ましい。この範囲内に形成すると、使い捨ておむつ１および尿取りパッド２０Ｃが着用者の股間部で図９のＸ方向（幅方向）へ収縮しても、使い捨ておむつ１と尿取りパッド２０Ｃとが粘着層３２の粘着により互いに位置ずれしにくく、また粘着層３２が着用者の肌や体毛に付着しにくい。
【００７９】
さらに粘着層３２が形成される領域は、尿取りパッド２０Ｃの各縁からＷ２＝３０ｍｍ、Ｌ２＝３０ｍｍの範囲を除く領域に形成されることが好ましい。その結果、尿取りパッド２０Ｃの縁が股間部でまくれるような現象が生じても、粘着層３２が、肌や体毛に接触しにくい。
なお、前記の粘着層３２の形成範囲は、図１（Ｂ）に示すものにおける粘着層２６の形成範囲においても同様であることが好ましい。
【００８０】
また、図７と図８に示す尿取りパッド２０Ｃにおいて、貼り合わせ手段として、粘着層３２の代わりに機械的掛止手段、例えば多数の鉤が設けられたシートを貼着し、このシートを使い捨ておむつ１のトップシート２に掛止させ、尿取りパッド２０Ｃのずれ止めとトップシート１に対する密着性を確保してもよい。
また、図７と図８に示す尿取りパッド２０Ｃを図５に示すように、ペニスを包める形状とし、男性用として使用することもできる。
【００８１】
【発明の効果】
以上のように本発明では、吸収コアで吸収しきれなかった体液例えば尿を、おむつの吸収体などの他の吸収性物品に効果的に吸収させることができ、重ね使用時の吸収能力を高く出来、両側部への尿などの漏れを防止できる。
【００８２】
また外面側の液透過領域を塞ぐ被覆シートを剥離自在に設けると、この被覆シートが取付けられた状態で通常の吸収性物品と同等に使用することも可能であり、その使用状態を自由に選択できる。
【００８３】
あるいは予め、液透過領域を広くしておき、これを閉じる被覆シートを設けず、重ね使用時に他の吸収性物品へ尿などを浸透させることを前提とした夜間使用用とすることもできる。
【００８４】
さらに、液透過領域と他の吸収性物品の受液側とを貼り合わせ手段で密着させると、吸収性物品から他の吸収性物品へ尿などが確実に浸透し、吸収性物品の間からの横漏れを防止できる。
【図面の簡単な説明】
【図１】（Ａ）は本発明の尿取りパッドの斜視図、（Ｂ）は外面側から見た展開平面図、
【図２】本発明の尿取りパッドを使い捨ておむつに装着する状態を示す斜視図、
【図３】本発明の尿取りパッドを使い捨ておむつに装着した状態を示す展開平面図、
【図４】図３のＩＶ−ＩＶ線の断面図、
【図５】本発明の尿取りパッドを男性用として使用する場合の斜視図、
【図６】（Ａ）（Ｂ）は本発明の尿取りパッドの他の構成例を示す斜視図、
【図７】図６（Ｂ）に示す尿取りパッドのさらに具体的な構成例を示す展開平面図、
【図８】図７に示す尿取りパッドから剥離シートを剥がした状態を示す展開平面図、
【図９】図８に示す尿取りパッドを使い捨ておむつに装着した状態を示す展開平面図、
【図１０】図９のＸ−Ｘ線の断面図、
【図１１】従来の尿取りパッドが使い捨ておむつに装着された状態を示す展開平面図、
【符号の説明】
１  使い捨ておむつ
２  トップシート
３  バックシート
４  吸収体
２０，２０Ａ，２０Ｂ，２０Ｃ  尿取りパッド
２１  トップシート
２２  バックシート
２２ａ，２２ｂ，２２ｃ  開口部
２３  吸収コア
２６  粘着層
２７  被覆シート
３１  液透過シート
３１ａ  孔
３３  剥離シート
【図１】
0003756000.tif 000002
【図２】
0003756000.tif 000003
【図３】
0003756000.tif 000004
【図４】
0003756000.tif 000005
【図５】
0003756000.tif 000006
【図６】
0003756000.tif 000007
【図７】
0003756000.tif 000008
【図８】
0003756000.tif 000009
【図９】
0003756000.tif 000010
【図１０】
0003756000.tif 000011
【図１１】
0003756000.tif 000012